(57)【要約】【課題】  より正確に集計可能な、又、より安価なコインカウンターを提供すること。【解決手段】  コインを投入するためのコイン投入部４と、コイン投入部４の下方に設置された、全部又は一部が透明な側面部２を有する、実質上円筒形状のコイン積層部３と、投入されたコインが載置される底面部６と、透明部分に形成され、所定の種類のコイン積層枚数に対応した数字が表示されている目盛り１２と、目盛り１２を拡大するためのレンズ５とを備え、レンズ５は、シリンドリカルレンズであり、シリンドリカルレンズの軸５ａと、コイン積層部３の軸３ａが実質上平行になるように配置されている、コインカウンターである。【選択図】図２
0003112893.tif 000002
【実用新案登録請求の範囲】
【請求項１】
コインを投入するためのコイン投入部と、
前記コイン投入部の下方に設置された、全部又は一部が透明な側面部を有する、実質上円筒形状のコイン積層部と、
投入された前記コインが載置される底面部と、
前記透明部分に形成され、所定の種類のコイン積層枚数に対応した数字が表示されている目盛りと、
前記目盛りを拡大するためのレンズとを備えた、コインカウンター。
【請求項２】
前記レンズは、シリンドリカルレンズであり、前記シリンドリカルレンズの軸と、前記コイン積層部の軸が実質上平行になるように配置されている、請求項１記載のコインカウンター。
【請求項３】
前記コイン投入部は、上方に向かって直径が大きくなっている漏斗形状である、請求項１記載のコインカウンター。
【請求項４】
コインを投入するためのコイン投入部と、
前記コイン投入部の下方に設置された、全部又は一部が透明な側面部を有する、実質上円筒形状のコイン積層部と、
投入された前記コインが載置される底面部と、
前記透明部分に形成され、所定の種類のコイン積層枚数に対応した数字が表示されている目盛りと、
前記底面部に設置された、投入された前記コインを排出するための排出手段を更に備えた、コインカウンター。
【請求項５】
前記排出手段は、前記底面部を形成する底板の移動により前記投入されたコインを排出する手段である、請求項４記載のコインカウンター。
【請求項６】
実質上直方体形状の部材を備え、
前記コイン積層部は前記部材の中に形成されている請求項１又は４記載のコインカウンターを複数連接した、コインカウンターセット。
【請求項７】
前記複数のコインカウンターは、各々着脱可能である、請求項６記載のコインカウンターセット。
【請求項８】
投入されたコインが積層される、全部又は一部が透明な側面部及び上方に開口部を有する実質上円筒形状のコイン積層部と、投入された前記コインが載置される底面部と、前記透明部分に形成され、所定の種類のコイン積層枚数に対応した数字が示されている目盛りとを有する、複数のコインカウンターと、
前記複数のコインカウンターの各前記開口部の上方を移動可能な、漏斗形状のコイン投入口を有するコイン投入部とを備えた、コインカウンターセット。
【請求項９】
前記複数のコインカウンターは、各々の前記開口部が実質上一列になるように配置されており、
前記列と実質上平行なガイドレールを備え、
前記コイン投入部は、前記ガイドレールに沿って移動可能である、請求項８記載のコインカウンターセット。
【請求項１０】
前記複数のコインカウンターの全部又は一部は、異なった種類の硬貨に対応している、請求項６又は８記載のコインカウンターセット。
【考案の詳細な説明】
【技術分野】
【０００１】
本考案は、硬貨を計数するためのコインカウンター及びコインカウンターセットに関する。
【背景技術】
【０００２】
各種小売業、問屋、飲食業、コンビニエンスストア等では、レジスター等に硬貨を金種別に分けて収納しておき、定時的或いは営業終了後に各金種別にカウント集計が行われる。
【０００３】
このようなカウント集計を行う際には、レジスターの金銭収納用の引き出しに設けられた金種別の収納区画内に収容されたコインを人手によって取り出して数えていた。
【考案の開示】
【考案が解決しようとする課題】
【０００４】
しかしながら、硬貨は種類も多く、数も多くなるためカウント集計には１５分近い時間がかかっていた。特にコンビニエンスストア等では、レジ係の引継をする際に、一旦精算を行うためカウント集計に時間がかかり、客を待たせるようなことも起こり得た。
【０００５】
本考案は、上記従来の課題を考慮し、より短時間で集計可能なコインカウンター及びコインカウンターセットを提供することである。
【課題を解決するための手段】
【０００６】
上記従来の課題を解決するために、第１の本考案は、
コインを投入するためのコイン投入部と、
前記コイン投入部の下方に設置された、全部又は一部が透明な側面部を有する、実質上円筒形状のコイン積層部と、
投入された前記コインが載置される底面部と、
前記透明部分に形成され、所定の種類のコイン積層枚数に対応した数字が表示されている目盛りと、
前記目盛りを拡大するためのレンズとを備えた、コインカウンター。
【０００７】
又、第２の本考案は、
前記レンズは、シリンドリカルレンズであり、前記シリンドリカルレンズの軸と、前記コイン積層部の軸が実質上平行になるように配置されている、第１の本考案のコインカウンターである。
【０００８】
又、第３の本考案は、
前記投入部は、上方に向かって直径が大きくなっている漏斗形状である、第１の本考案のコインカウンターである。
【０００９】
又、第４の本考案は、
前記底面部に設置された、投入された前記コインを排出するための排出手段を更に備えた、第１の本考案のコインカウンターである。
【００１０】
又、第５の本考案は、
前記排出手段は、前記底面部を形成する底板の移動により前記投入されたコインを排出する手段である、第１の本考案のコインカウンターである。
【００１１】
又、第６の本考案は、
実質上直方体形状の部材を備え、前記コイン積層部は、前記部材の中に形成されている、第１の本考案のコインカウンターを複数連接した、コインカウンターセットである。
【００１２】
又、第７の本考案は、
前記複数のコインカウンターは、各々着脱可能である、第６の本考案のコインカウンターセットである。
【００１３】
又、第８の本考案は、
投入されたコインが積層される、全部又は一部が透明な側面部及び上方に開口部を有する実質上円筒形状のコイン積層部と、投入された前記コインが載置される底面部と、前記透明部分に形成され、所定の種類のコイン積層枚数に対応した数字が示されている目盛りとを有する、複数のコインカウンターと、
前記複数のコインカウンターの各前記開口部の上方を移動可能な、漏斗形状のコイン投入口を有するコイン投入部とを備えた、コインカウンターセットである。
【００１４】
又、第９の本考案は、
前記複数のコインカウンターは、各々の前記開口部が実質上一列になるように配置されており、
前記列と実質上平行なガイドレールを備え、
前記コイン投入部は、前記ガイドレールに沿って移動可能である、第８の本考案のコインカウンターセットである。
【００１５】
又、第１０の本考案は、
前記複数のコインカウンターの全部又は一部は、異なった種類の硬貨に対応している、第６又は第８の本考案のコインカウンターセットである。
【考案の効果】
【００１６】
本考案によれば、より短時間で集計可能なコインカウンター及びコインカウンターセットを提供することが出来る。
【考案を実施するための最良の形態】
【００１７】
以下、本考案にかかる実施の形態について図面を参照しながら説明する。
【００１８】
（実施の形態１）
図１は、本考案の実施の形態１におけるコインカウンターセットの斜視図である。図１に示すように、本実施の形態１のコインカウンターセットは、１円硬貨用コインカウンター１０、５円硬貨用コインカウンター２０、１０円硬貨用コインカウンター３０、５０円硬貨用コインカウンター４０、１００円硬貨用コインカウンター５０、及び５００円硬貨用のコインカウンター６０の６つのコインカウンターを備えており、これらコインカウンター１０、２０、３０、４０、５０、及び６０は着脱可能に互いに固定されている。尚、これら６種類のコインカウンターは、それらの基本的構造は同じであるため、１円硬貨用コインカウンターを例に挙げて説明する。
【００１９】
図２は、本考案に係る実施の形態１の１円硬貨用コインカウンター１０の構成斜視図である。コインカウンター１０は、実質上直方体形状の透明な部材２と、部材２の実質上中央に上下方向に形成された、コインが積層される円筒形状のコイン積層部３とを備えている。このコイン積層部３の上部には、コインを投入するための漏斗形状のコイン投入部４が形成されている。又、本考案の底面部の一例である、コイン積層部３の底面６は底板７の一部によって構成されており、この底板７は図２に示されている矢印方向に移動可能な構成となっている。
【００２０】
又、部材２の正面側の側面には半円柱形状のシリンドリカルレンズ５が設置されており、コイン積層部３のシリンドリカルレンズ５と対向する側壁には、目盛り１２が形成されている。尚、目盛り１２は、底面６までコイン積層部３の側壁に形成されているが、図２では一部しか示していない。
【００２１】
図３（ａ）は、本実施の形態１の１円硬貨用コインカウンター１０の上面図であり、図３（ｂ）は正面図、及び図３（ｃ）は側面図を示している。これらの図を用いて本考案にかかる実施の形態１のコインカウンターの構成について、更に詳しく説明する。
【００２２】
図３（ａ）、（ｃ）に示すように、このシリンドリカルレンズ５は、その軸５ａがコイン積層部３の軸３ａと実質上平行になるように、又、図３（ｂ）に示すように、正面から見て軸５ａと軸３ａが実質上重なるように部材２の正面側の側面の実質上中央に設置されている。又、図３（ｂ）及び（ｃ）に示されているようにコイン積層部３の下側には、空間８が形成されており、空間８の上部に底板７が配置されている。この底板７は、空間８に向けて部材２から突出している左右の凸部９によって下方から支持されており、奥行き方向は止め部１７と接触している。このような構成により、底板７は正面手前方向（図３（ｃ）の矢印方向）に向かってスライドさせることが出来、コイン積層部３内に積層されているコインを排出することが可能となる。尚、図２、図３（ａ）、（ｃ）に示すように底板７を矢印方向に引き出し易くするために、底板７の左右端に凸部１９が設けられている。この凸部１９に指を引っかけることによって底板７を引き出す。
【００２３】
又、図３（ｂ）、（ｃ）に示すように、正面から見て、底板７の奥行き方向の端近傍に２つのバネ１１が設けられている。この２つのバネ１１の一端は、底板７の左右端近傍の下側にそれぞれ取り付けられている。又、バネ１１の他端は、部材２の止め部１７の下側近傍に接続されている。このような構造によって、底板７を正面手前に引き出した際に、止め部１７方向に底板７が戻る力が働く。又、２つのバネ１１の下側には、空間８に向けて部材２から形成されたＬ字型のカバー１８が形成されており、２つのバネ１１をそれぞれ保護している。
【００２４】
上記構成では、一円硬貨用コインカウンター１０について述べたが、コイン積層部３の直径は、硬貨の種類によって異なっており、その硬貨が２枚並んで積層されたりせず、一枚ずつ積層されるように、その硬貨の直径より少し大きくなっている。
【００２５】
上述した目盛り１２について詳しく説明する。目盛り１２は、図３（ｂ）、（ｃ）に示されているように、コイン積層部３のシリンドリカルレンズ５と対向する側壁の下方から上方にかけて形成されている。
【００２６】
図４（ａ）は、目盛り１２として１０円硬貨用の目盛りを示した図である。又、図４（ｂ）は、目盛り１２として５０円硬貨用の目盛りを示した図である。図４（ａ）、（ｂ）に示されているように、目盛り１２は、コイン積層部３の中心軸を基準にして左右交互に形成されている。この各目盛り１２の上側には、硬貨の枚数と金額が記載されている。例えば図４（ａ）では目盛り１２の間隔１２ｈ（図４（ａ）の矢印）が、１０円硬貨１枚の厚さと実質上一致している。尚、本実施の形態１では、各硬貨ともに５０枚まで計数可能なように目盛りが形成されている。尚、本実施の形態１の各コインカウンター１０、２０、３０、４０、５０、６０は、コイン積層部の直径と目盛りが、計数する硬貨の種類に応じて異なっており、他の構成要素は同一である。
【００２７】
以下に、上記構成の本実施の形態１に係るコインカウンターセットを用いたカウント方法について説明するとともに、本考案のコインカウンターを用いたカウント方法の動作についても説明する。
【００２８】
図５（ａ）は、レジスターで用いられている取り外し可能なコインケースを示した図である。図５（ａ）に示されているように、コインケース１３は、左から順に１円硬貨収納部１３ａ、５円硬貨収納部１３ｂ、１０円硬貨収納部１３ｃ、５０円硬貨収納部１３ｄ、１００円硬貨収納部１３ｅ、及び５００円硬貨収納部１３ｆの区分された６種類の硬貨収納部を有している。
【００２９】
図５（ｂ）に示すように、コインケース１３の１円硬貨以外の収納部を覆うようにフタ１４を取り付ける。そして、図６に示すように、１円硬貨用コインカウンター１０のコイン投入部４に投入する。ここで、漏斗形状のコイン投入部４の直径４ａは、コインケース１３の１円硬貨収納部１３ａの幅１３ｈよりも大きく構成されているため、硬貨を投入しやすく、硬貨のコイン投入部４以外への落下をより防止することが出来る。
【００３０】
そして、シリンドリカルレンズ５を介して正面方向から目盛り１２を読む。このシリンドリカルレンズ５によって目盛り１２が拡大される。
【００３１】
図７に、１円硬貨を投入した後の目盛り１２の状態を示す。図７に示されているように、積層された硬貨１６の上部に位置する目盛り１２ａの上側の点線で囲われている部分ｔの数字（４４コ、４４円）を読み取ることによって、硬貨の枚数と金額がわかる。
【００３２】
次に、図５（ｃ）に示すように、フタ１４を図５（ｂ）の矢印方向へスライドさせることによって、５円硬貨収納部１３ｂを露出する。そして、コインカウンターセットの５円硬貨用コインカウンター２０に５円硬貨を投入し、１円硬貨の場合と同様に数値を読みとる。そして、１０円、５０円、１００円、及び５００円硬貨のカウント集計も同様に行う。
【００３３】
図５（ａ）に示すコインケース１３の奥行き１３ｇは、図３（ｂ）に示す空間８の幅８ｄよりも小さくなるように構成されている。そのため、カウント集計後は、コインケース１３を空間８内に挿入し、底板７を引き出すことによって、コインケース１３の１円硬貨収納部１３ａにカウント集計後の１円硬貨を戻すことが可能となる。図８は、コインカウンター１０の空間８内にコインケース１３を挿入した状態の側断面図を示す図である。ここで、カバー１８が設置されているために、コインケース１３を空間８に挿入する際等に、バネ１１を傷付けたりするのを防止することが出来る。
【００３４】
このようにカウント集計を行った硬貨を全てコインケース１３に戻し、集計が終了する。尚、本実施の形態１のコインカウンターセットでは５０枚までしか計数出来ないが、５０枚以上硬貨を投入した場合であっても、底板７を引くことによって硬貨が５０枚以下になるように排出しカウントを行い、次に、排出した分をカウントすることによって集計することが可能となる。
【００３５】
以上のように、本実施の形態１のコインカウンターによれば、シリンドリカルレンズによって目盛りを拡大することが可能なため、よりカウント集計の誤差をなくすことが出来る。
【００３６】
又、駆動部等を用いていないため、製造原価を安く抑えることが出来、更に、定期的にメンテナンスを行う必要もないためコストを抑えることが可能となる。
【００３７】
又、図４に示すように、硬貨の枚数だけでなく金額も記載しているため、計算ミスをなくすことが可能となる。
【００３８】
尚、本実施の形態１のコインカウンターは、空間８内にコインケース１３を挿入できる構成であるが、挿入できない構成であってもよい。この場合、空間８の高さを低く出来、例えば１円硬貨をコインケース１３に戻す際には、１円硬貨用コインカウンター１０をコインカウンターセットから取り外し、コインケース１３の１円硬貨収納部１３ａ上に載置し、底板７を引いて１円硬貨を排出すればよい。この際、コインケース１３はレジスター内にあっても硬貨をもどすことが可能である。又、１円硬貨用コインカウンターを取り外さずに、コインカウンターセットに接続した状態で排出しても良い。又、直接コインケースに戻さなくても良く、受け皿に一端硬貨を受けてからコインケースに戻しても良い。
【００３９】
又、本考案の排出手段の一例は、本実施の形態１のバネ１１および底板７に相当し、バネ１１によって底板７は部材２に固定されているが、バネを備えていない構成であってもよい。しかしながら、コインカウンターを移動させたりする場合に底板が移動すると積層されている硬貨が排出される可能性もありえるので、バネによって固定されている方がより好ましい。又、バネに限らなくてもよく、要するに、底板を部材に固定出来さえすればよい。
【００４０】
更に、本実施の形態１のコインカウンターは、排出手段を備えているが、備えていなくてもよく、このような場合、カウントが終了後、例えば１円硬貨をレジスターのコインケース１３に戻す際には、１円硬貨用コインカウンター１０をコインカウンターセットから取り外し、逆さまに向けることによって、コインケース１３の1円硬貨用の収納部に戻すことが出来る。底板を備えない場合は、空間８や凸部９も形成する必要がないため、製造の費用を安く抑えることが出来る。しかしながら、排出手段を設けた方が、集計後の硬貨をコインケース１３へと戻す際の硬貨の落下を防止することが可能となるため、より好ましい。
【００４１】
又、本実施の形態１では、コインケース１３は６種類の硬貨を一列に収納出来るようになっているが、２列に収納できるような構成であってもよい。この場合コインケースの形状にあわせて、フタの形状も変更する必要がある。
【００４２】
又、本考案の全部が透明な側面部は、例えば、本実施の形態１の全て透明な材質から形成された部材２に相当するが、全てが透明な材質から形成されていなくてもよく、少なくとも部材２のシリンドリカルレンズ５とコイン積層部３の間に位置する部分が透明でありさえすればよい。この部材２の部分が、本考案の一部が透明な側面部の一例に相当する。
【００４３】
又、本実施の形態１のシリンドリカルレンズ５は、底板７から部材２の上面までの長さを有しているが、少なくともコイン積層部３の目盛り１２が形成されている長さを有していればよく、要するに目盛りを拡大表示出来さえすればよい。
【００４４】
又、本実施の形態１では、シリンドリカルレンズ５として、凸型のシリンドリカルレンズを用いていたが、凹型のシリンドリカルレンズを用いてもよい。図９（ａ）、（ｂ）、（ｃ）に、凹型のシリンドリカルレンズを用いた場合のコインカウンターの上面図、正面図、及び側面図を示す。図９の斜線部分が、凹型シリンドリカルレンズ１５を示している。図９に示すように、凹型シリンドリカルレンズ１５の軸がコイン積層部３の軸と同じであり、凹部１５ａがコイン積層部３と対向するように、部材２内に埋め込まれている。尚、図９では、部材２の一部に埋め込まれているが、部材２の正面側半分が全て凹型シリンドリカルレンズ１５で構成されていても良い。又、本考案のレンズとしてシリンドリカルレンズに限らず、目盛りを拡大表示出来るレンズでさえあればよい。
【００４５】
又、本実施の形態１では、コインカウンターセットから各コインカウンターが着脱可能に構成されているが、固定されていてもよく、更に、図１０に示すように、側面に把手７０を設けていてもよい。また、各コインカウンターが固定されている場合でも、コインカウンターセット全体を反対に向けることによって投入された硬貨を排出することが可能なため排出手段を設けなくても硬貨を排出することは可能である。
【００４６】
又、本実施の形態１のコインカウンターは、硬貨が５０枚まで計数可能な構成であるが、この数に限られるものではく、コイン積層部３の長さを変更し、目盛り１２を増減することによってカウント可能な枚数を適宜変更可能である。
【００４７】
又、本実施の形態１のコインカウンターセットでは、６種類のコインカウンターは、図１のように２列に並んでいるが、１列であってもよい。又、各コインカウンターの配列は図１の順番に限られない。
【００４８】
又、本実施の形態１のコインカウンターセットでは、底板７の左右端に凸部１９を設けて引き出しやすくしているが、底板７の上面や下面に設けても良い。しかしながら、上面に設ける場合には、目盛り１２を読む際に干渉しない位置に設ける必要があり、下面に設ける場合には、コインケース１３の挿入の際に干渉しない位置に設ける必要がある。又、凸部１９を設ける代わりに、底板７の上面及び／又は下面に凹部を設け指を引っかけるようにしてもよく、要するに、底板を引き出すことが出来さえすればよい。
【００４９】
（実施の形態２）
以下に、本考案にかかる実施の形態２のコインカウンターセットについて説明する。本実施の形態２のコインカウンターセットは、実施の形態１のコインカウンターセットと基本的構成は同じであるが、６つのコインカウンターの配列が一列である点、及びコイン投入部が各コインカウンター間で共通であり、移動可能である点が異なっている。
【００５０】
図１１は、本考案にかかる実施の形態２におけるコインカウンターセットの構成斜視図である。
【００５１】
図１１に示すように、本実施の形態２のコインカウンターセットは、１円硬貨用コインカウンター１１０、５円硬貨用コインカウンター１２０、１０円硬貨用コインカウンター１３０、５０円硬貨用コインカウンター１４０、１００円硬貨用コインカウンター１５０、５００円硬貨用コインカウンター１６０の６つの実質上直方体形状のコインカウンターを備えている。これらの６つのコインカウンターは、一列に配置されている。
【００５２】
次に、１円硬貨用のコインカウンター１１０を例に挙げて、コインカウンターの構造について説明する。尚、本実施の形態２のコインカウンター１１０は、基本的構成は実施の形態１のコインカウンター１０と同様である。本実施の形態２のコインカウンター１１０は、コインカウンター１０と同様に、直方体形状の透明な部材１１２と、部材１１２の実質上中央に形成された円筒形状のコイン積層部１１３と、投入された硬貨が載置される底面部１１４とを有している。また、コイン積層部１１３の上部は開口部１１５となっており、開口部１１５の直径は、コイン積層部１１３の直径よりも大きく形成されている。
【００５３】
又、コイン積層部１１３には目盛り１１６が形成されている。尚、コインカウンター１１０と比較して、他のコインカウンター１２０、１３０、１４０、１５０、及び１６０は、コイン積層部の直径及び目盛りが各々の計測する硬貨の種類によって異なっており、他の構成要素は同一である。６つのコインカウンターの開口部の径の大きさは同一になるように構成されている。又、図１０に示されているように、６つのコインカウンター１１０、１２０、１３０、１４０、１５０、１６０を一列に配置すると各開口部１１５が一列に配置される。
【００５４】
又、本実施の形態２のコインカウンターセットは、接続された６つのコインカウンターを覆うような直方体形状の金属枠１７０を備えている。この金属枠１７０の、６つのコインカウンターの配列方向と平行であって、コインカウンターの上部に位置する２辺は、円柱形状のレール１７１、１７２で構成されている。これらレール１７１、１７２に渡ってコイン投入部１８０がレールに沿って移動可能に配置されている。コイン投入部１８０は、レール１７１とレール１７２間の中央に、実質上漏斗形状のコイン投入口１８１を有している。コイン投入口１８１の下側の開口部１８１ａの直径は、開口部１１５の直径よりも小さく形成されており、コイン投入口１８１の上側の開口部１８１ｂの直径は、図５に示したコインケース１３の１円硬貨収納部１３ａの幅１３ｈよりも大きくなるように形成されている。このような構成とすることにより、コイン投入口１８１に投入する際やコイン投入部１８０からコイン積層部に硬貨が移動する際のコインカウンター外への硬貨の落下を出来るだけ防止することが出来る。
【００５５】
又、コイン投入部１８０のレール１７１及び１７２と接する箇所には直方体形状の支持部１８２、１８３が設置されている。図１２は、本実施の形態２のコインカウンターの側断面図である。支持部１８２、１８３には中央に円柱形状の貫通孔が形成されており、この貫通孔にレール１７１、１７２が貫通している。このような構成により、コイン投入部１８０は、レール１７１、１７２上を滑ることによって移動可能となっている。
【００５６】
図１３は、本実施の形態２のコインカウンターの正面図である。図１３に示すように、矢印方向にコイン投入部１８０を移動させ、１円硬貨から５００円硬貨まで順に１円硬貨用コインカウンター１１０、５円硬貨用コインカウンター１２０、１０円硬貨用コインカウンター１３０、５０円硬貨用コインカウンター１４０、１００円硬貨用コインカウンター１５０、５００円硬貨用コインカウンター１６０に順に投入し、実施の形態１と同様に集計を行うことが出来る。尚、金属枠１７０の左右の幅１７０ａは、両端に位置するコインカウンター１１０及び１６０上にコイン投入部１８０を移動させた際に、コイン投入部１８０の幅１８０ａを確保する必要があるため接続された６個のコインカウンター１１０、１２０、１３０、１４０、１５０、１６０の幅Ｗよりも長くなってる。
【００５７】
本実施の形態２のコインカウンターは、実施の形態１と比較して、各コインカウンター内にコイン投入部が形成されていないため、横幅を小さくすることが出来る。そのため、６種類の硬貨のカウントを行うためのコインカウンターを一列に横並びにすることが出来、硬貨を一望することが可能となる。又、コインカウンターセット全体の容積も実施の形態１のコインカウンターセットと比べて小さいため、より実用的である。
【００５８】
尚、本実施の形態２のコインカウンターセットは、実施の形態１で説明したシリンドリカルレンズ５を備えていても良い。
【００５９】
更に、本実施の形態２のコインカウンターセットは、本考案の排出手段の一例である実施の形態１で示したバネ１１および底板７を備えていても良い。実施の形態１におけるコイン投入部４の上側の直径４ａは１円硬貨収納部１３ａの幅１３ｈよりも大きく作成する方が、硬貨の落下防止の点から好ましいため、内部にコイン投入部を有しているコインカウンター１０の幅は１円硬貨収納部１３ａの幅１３ｈよりも大きくなる。これは、他のコインカウンター２０、３０、４０、５０、６０の場合も同様である。対して、実施の形態２のコインカウンター１１０ではコイン投入部１８０がコインカウンター１１０の外部に位置しているため、各コインカウンター１１０、１２０、１３０、１４０、１５０、１６０の幅を各硬貨収納部１３ａ、１３ｂ、１３ｃ、１３ｄ、１３ｅ、１３ｆの幅に合わせることが可能となる。
【００６０】
このような状態で、図１４の正面図に示すように実施の形態１と同様の底板１９０とバネ（図示せず）を各コインカウンターに備え、コインカウンターセットをコインケース１３の上部に配置し、各底板１９０を手前に引くことによって各硬貨を排出することが可能となる。この場合、実施の形態１と比較してコインケース１３を各コインケースの下部に移動させる必要がないため短時間で硬貨を排出することが出来、更に、移動がすくないため誤って硬貨を落下させること等も防止することが出来る。
【００６１】
又、本実施の形態２のコインカウンターセットは、開口部の直径がコイン積層部の直径よりも大きくなるように形成されているが、コイン積層部と実質上同一の直径であってもよい。但し、硬貨の種類が複数ある場合、開口部の直径は、最も直径が大きい種類の硬貨の直径と実質上同一である必要があり、本実施の形態２では５００円硬貨の直径と実質上同一である必要がある。
【００６２】
又、本実施の形態２では、図１１に示すように左から順に１円硬貨用コインカウンター１１０、５円硬貨用コインカウンター１２０、１０円硬貨用コインカウンター１３０、５０円硬貨用コインカウンター１４０、１００円硬貨用コインカウンター１５０、及び５００円硬貨用コインカウンター１６０の順に並んでいるが、この順番に固定されるものではなく、例えば、コインケース１３内での硬貨の収納順番に合わせて適宜変更してもよい。
【００６３】
又、本実施の形態２では、図１１に示すように金属枠１７０の枠の間には何も設けていないが、壁を設けても良い。但し、正面側に壁を設ける場合には目盛り１１６を読むために透明部材で壁を形成する必要がある。
【００６４】
尚、実施の形態１及び２のコインカウンターセットは、それぞれ異なる硬貨に対応した６個のコインカウンターを備えているが、６個に限らなくても良いし、又、集計する枚数の多い種類のコインカウンターの数を増やしても良い。
【００６５】
（実施の形態３）
以下に、本考案にかかる実施の形態３におけるコインカウンターについて説明する。
【００６６】
図１５（ａ）、（ｂ）、及び（ｃ）は、本実施の形態３における１円硬貨用コインカウンター２００の上面図、正断面図、及び側断面図を示している。本実施の形態３の１円硬貨用コインカウンターは実施の形態１で説明した１円硬貨用コインカウンター１０と基本的構造は同じであるが、実施の形態２で説明した部材２が中空の筐体である点、コイン投入部とコイン積層部の間に継ぎ部を設けている点、及びバネが底板の上面に設けられている点が異なる。以下に本相違点を中心に説明する。
【００６７】
図１５（ａ）、（ｂ）、（ｃ）に示すように、本実施の形態３の１円硬貨用コインカウンター２００は、実質上直方体形状の透明な材料で形成された筐体２０２を備えている。この筐体２０２の上面は、中心部に開口部２０２ａを有しており、その開口部２０２ａは上面よりも低い位置に形成されている。すなわち、実施の形態１で説明した漏斗形状のコイン投入部２０３が形成されている。コイン投入部２０３の下側の筐体２０２内部には、透明な材質によって形成された円筒形状のコイン積層部２０４が固定されている。このコイン積層部２０４は、筐体２０２の左右の内側壁から突出している一対の支持部２０５で固定されている。コイン積層部２０４とコイン投入部２０３の間を実質上接続するために、漏斗形状の繋ぎ部２０６が設置されている。この繋ぎ部２０６は筐体２０２の左右の内側壁から突出している一対の支持部２０７で固定されている。
【００６８】
又、コイン積層部２０４の下側には、筐体２０２に代えて底板２０８が設置されている。この底板２０８は、実施の形態１と同様に手前方向（図１５（ａ）（ｃ）の矢印方向）に移動可能である。更に、底板２０８には２つのバネ２０９が設けられているが、実施の形態１と異なり、その一端は底板２０８の上面に取り付けられている。又、バネ２０９の他端は、筐体２０２の奥行き側の内側壁に取り付けられている。尚、図示していないが、実施の形態１と同様に底板２０８を手前に引き出しやすくするための凸部が設置されている。又、図示していないが、円筒形状のコイン積層部２０４には、実施の形態１と同様の目盛りが形成されている。
【００６９】
尚、本実施の形態３のコインカウンターを用いた硬貨の計数方法については、実施の形態１と同様であるため省略する。又、本実施の形態３のコインカウンターは、実施の形態１と異なり空間８を実質上設けていないため、コインケース１３を図８のように挿入することが出来ない。そのため、コインカウンター２００内に投入された１円硬貨を排出する際には、図５で説明したコインケース１３の１円硬貨収納部の上方に１円硬貨用コインカウンター２００を載置して底板２０８を引くことによってコイン積層部２０４内の硬貨をコインケース１３に戻すことが出来る。又、レジスター内にコインケース１３が固定されていた場合であっても戻すことが可能である。
【００７０】
上述した１円硬貨用コインカウンター２００と、コイン積層部２０４及び繋ぎ部２０６の直径が異なる５種類の５円硬貨用、１０円硬貨用、５０円硬貨用、１００円硬貨用、及び５００円硬貨用のコインカウンターを接続することによって、実施の形態１と同様のコインカウンターセットが構成される。
【００７１】
上記構成とすることにより、コイン積層部２０４及び繋ぎ部２０６以外は、同一形状の部品とすることが出来るため、製造コストを安く抑えることが可能となる。
【００７２】
又、底板に接続されているバネを、実施の形態１のように外側に設置せず、筐体２０２内部に設置したことによって、バネを保護するためのカバーを設置する必要が無くなり、又カバーを設置しない場合でも外部からの衝撃によるバネの破損を防ぐことが出来る。更に、実施の形態１で説明した、コインケース１３を挿入するための空間８を設けない場合において、バネが筐体内にあるため、より低背化することが可能となり、コインカウンターの安定性を増すことが出来る。
【００７３】
尚、本実施の形態３のコインカウンターは、実施の形態１で説明したシリンドリカルレンズ５や空間８を備えていても良い。又、本実施の形態３では筐体２０２及びコイン積層部２０４は全て透明な材料で形成されているが、コイン積層部２０４に形成されている目盛りを視認出来さえすればよいため、筐体２０２及びコイン積層部２０４の一部のみに透明部材を用いても良い。
【００７４】
又、本実施の形態３のコインカウンターは、図１５（ｂ）に示すように繋ぎ部２０６及びコイン積層部２０４は分離しているが、接続された一部品であってもよい。
【００７５】
又、本実施の形態３のコインカウンターは、図１５（ｂ）に示すように、コイン積層部２０４は一対の支持部２０５によって支えられ、繋ぎ部２０６は一対の支持部２０７によって支えられているが、本構成に限らず支持部の数を増やしても良い。
【００７６】
又、本実施の形態３のコインカウンターを製造する際には、一体成形でもよいし、個々の部品を成形した後に組み立てても良い。
【００７７】
尚、本実施の形態３のコインカウンターの、底板２０８、バネ２０９、及び筐体２０２の底部は、図１５に示した構成であるが、本構成に限らず、例えば図１６（ａ）、（ｂ）、（ｃ）、及び（ｄ）に示すような構成であってもよい。
【００７８】
図１６（ａ）は、本実施の形態３のコインカウンターの変形例の底部のみを示した上面図であり、図１６（ｂ）は（ａ）のＸＸ′間の矢印方向を見た正断面図であり、図１６（ｃ）はＹＹ′間の矢印方向を見た側断面図である。図１６（ａ）では、コイン積層部から上の部分は示していない。又、図１６（ｄ）は、筐体の底部と底板の関係を示した斜視図である。
【００７９】
図１６（ｄ）に示すように、筐体の底部３０１は実質上直方体形状の部材であり、正面側の端３０１ａから奥行き側の端３０１ｂまで、上面に溝３０２が形成されている。この溝３０２は、正面から見た断面が矩形状である。又、図１６（ａ）及び（ｃ）に示すように、溝３０２の底面の、穴３０４と奥行き側の端３０１ｂの間にストッパー３０６が配置されている。このストッパー３０６より正面側の溝３０２に底板３０３が配置されている。又、底板３０３の奥行き側の端３０３ａには、バネ３０７ａ、ｂの一端が取り付けられている。バネ３０７ａ、ｂの他端は、ストッパー３０６と奥行き側の端３０１ｂの間の溝３０２の底部に設けられているピン３０８ａ、ｂによってそれぞれ固定されている。このような構成とすることにより、底板３０３はバネ３０７ａ、ｂによって奥行き方向に引かれ、奥行き側の端３０３ａがストッパー３０６と接触している。尚、ストッパー３０６は溝３０２の中央近傍に配置されており、バネ３０７ａ、ｂは溝３０２の端近傍に配置されている。
【００８０】
又、図１６（ａ）及び（ｂ）に示すように、底板３０３の下側の底部３０１には穴３０４が形成されており、この穴３０４は、コイン積層部３０５の下方に位置することになる。
【００８１】
上記のような構成とすることにより、図１６（ｃ）に示すようにバネ３０７ａ、ｂの縮む方向と底板３０３のスライド方向が実質上一致するため、図１５に示した構成よりもバネ３０７ａ、ｂの底板３０３を引っ張る力を効率よく利用することが出来る。
【００８２】
又、引き出した底板３０３をストッパー３０６に接触する位置に戻す際に、よりスムーズに戻すために図１７（ａ）、（ｂ）に示すような傾斜部３０９をコイン積層部３０５に設けても良い。図１７（ａ）は、図１６（ｃ）に示したコインカウンター底部の変形例の側断面図である。又、図１７（ｂ）は、（ａ）の上面図である。図に示すように、傾斜部３０９は、円筒形状のコイン積層部３０５の下端、且つ正面側の位置３０５ａに設けられており、コイン積層部３０５の外側に向かって、上向きに形成されている。
【００８３】
このような傾斜部３０９を設けることによって、コイン積層部３０５の位置３０５ａと、底板３０３の奥行き端３０３ａとの干渉を緩和することが出来、コイン積層部３０５の下側によりスムーズに底板３０３が入ることが可能となる。
【００８４】
更に、図１７の構成に限らず、図１８（ａ）に示すような、底板３０３の上面に凸部３１０を設けた構成であってもよい。この凸部３１０を設けることによって、図１８（ｂ）に示すように底板３０３を引き出した際に凸部３１０が筐体の側壁３１１に接触し、底板３０３の奥行き側の端３０３ａが、コイン積層部３０５の位置３０５ａの幅ｈの間で止まるようにすることが出来る（Ｔ部拡大図参照）。この場合、底板３０３を引き出した際に奥行き側の端３０３ａが、コイン積層部３０５の下側から完全に離れないため、コイン積層部３０５の下側に、よりスムーズに底板３０３が入ることが可能となる。
【産業上の利用可能性】
【００８５】
本考案のコインカウンター及びコインカウンターセットは、より短時間でコインの集計可能な効果を有し、コンビニエンスストア、スーパー等のレジスター係の引継及び精算などに用いることが出来、有用である。
【図面の簡単な説明】
【００８６】
【図１】本考案にかかる実施の形態１におけるコインカウンターセットの斜視図
【図２】本考案にかかる実施の形態１におけるコインカウンターの斜視図
【図３】（ａ）本考案にかかる実施の形態１におけるコインカウンターの上面図（ｂ）本考案にかかる実施の形態１におけるコインカウンターの正面図（ｃ）本考案にかかる実施の形態１におけるコインカウンターの側面図
【図４】（ａ）本考案にかかる実施の形態１におけるコインカウンターの１０円硬貨用の目盛りを示す図（ｂ）本考案にかかる実施の形態１におけるコインカウンターの５０円硬貨用の目盛りを示す図
【図５】本考案にかかる実施の形態１におけるコインカウンターセットに投入する硬貨を収納するコインケースと蓋を示す図
【図６】本考案にかかる実施の形態１におけるコインカウンターセットに硬貨を投入する状態を示す図
【図７】本考案にかかる実施の形態１におけるコインカウンターセットに投入された硬貨と目盛りの状態を示す図
【図８】本考案にかかる実施の形態１におけるコインカウンターセットに投入された硬貨を排出する状態を示す図
【図９】（ａ）本考案にかかる実施の形態１の変形例におけるコインカウンターセットの上面図（ｂ）本考案にかかる実施の形態１の変形例におけるコインカウンターセットの正面図（ｃ）本考案にかかる実施の形態１の変形例におけるコインカウンターセットの側面図
【図１０】本考案にかかる実施の形態１におけるコインカウンターセットに把手を設置した状態の斜視図
【図１１】本考案にかかる実施の形態２におけるコインカウンターセットの構成斜視図
【図１２】本考案にかかる実施の形態２におけるコインカウンターセットの側断面図
【図１３】本考案にかかる実施の形態２におけるコインカウンターセットの正面図
【図１４】本考案にかかる実施の形態２におけるコインカウンターセットとコインケースの正面図
【図１５】（ａ）本考案にかかる実施の形態３におけるコインカウンターの上面図（ｂ）本考案にかかる実施の形態３におけるコインカウンターの正断面図（ｃ）本考案にかかる実施の形態３におけるコインカウンターの側断面図
【図１６】（ａ）本考案にかかる実施の形態３のコインカウンターの変形例の底部のみを示した上面図（ｂ）（ａ）のＸＸ′間の正断面図（ｃ）（ａ）のＹＹ′間の側断面図（ｄ）筐体の底部と底板の関係を示した斜視図
【図１７】（ａ）本考案にかかる実施の形態３のコインカウンターの変形例の底部のみを示した側断面図（ｂ）本考案にかかる実施の形態３のコインカウンターの変形例の底部のみを示した上面図
【図１８】（ａ）本考案にかかる実施の形態３のコインカウンターの変形例の底部のみを示した側断面図（ｂ）本考案にかかる実施の形態３のコインカウンターの変形例の底部のみを示した側断面図
【符号の説明】
【００８７】
２  部材
３  コイン積層部
４  コイン投入部
５  シリンドリカルレンズ
６  底面
７  底板
８  空間
９  凸部
１０  コインカウンター
１１  バネ
１２  目盛り
１３  コインケース
【図１５】
0003112893.tif 000003
【図１７】
0003112893.tif 000004
【図１】
0003112893.tif 000005
【図２】
0003112893.tif 000006
【図３】
0003112893.tif 000007
【図４】
0003112893.tif 000008
【図５】
0003112893.tif 000009
【図６】
0003112893.tif 000010
【図７】
0003112893.tif 000011
【図８】
0003112893.tif 000012
【図９】
0003112893.tif 000013
【図１０】
0003112893.tif 000014
【図１１】
0003112893.tif 000015
【図１２】
0003112893.tif 000016
【図１３】
0003112893.tif 000017
【図１４】
0003112893.tif 000018
【図１６】
0003112893.tif 000019
【図１８】
0003112893.tif 000020